(57)【特許請求の範囲】
【請求項１】
遊技機に並設されるとともに紙幣の受け入れによって当該遊技機に対する遊技媒体の貸出処理を行う貸出処理機と、前記貸出処理機を遠隔操作するリモコン装置とを備えた遊技媒体貸出システムであって、
前記リモコン装置を認証するための認証情報を、使用者を特定する情報と前記リモコン装置を特定する情報とを対応付けた形で生成する生成手段と、
前記生成手段により生成された認証情報を記憶する認証情報記憶手段と、
前記生成手段が生成した前記認証情報を前記リモコン装置に対して送信することによって前記リモコン装置の記憶部に記憶させる登録手段と、
前記リモコン装置から受け取った前記認証情報を前記認証情報記憶手段に記憶された認証情報と照合し、正当なものであると判定した場合に、当該リモコン装置からの遠隔操作を許可する許可手段と
を備えたことを特徴とする遊技媒体貸出システム。 
【請求項２】
前記生成手段は、
所定の時間ごとに前記認証情報を再生成することを特徴とする請求項１に記載の遊技媒体貸出システム。 
【請求項３】
前記生成手段は、
前記リモコン装置の識別番号ごとに、前記認証情報を生成することを特徴とする請求項１または２に記載の遊技媒体貸出システム。 
【請求項４】
前記生成手段は、
前記リモコン装置を認証するための認証情報を、使用者を特定する情報と、該記使用者の権限と、前記リモコン装置を特定する情報と対応付けた形で生成することを特徴とする請求項１、２または３に記載の遊技媒体貸出システム。
【請求項５】
前記登録手段は、
前記認証情報の登録に先立って所定のデータの入力を求め、該データを正当なものであると判定した場合に、前記認証情報を前記リモコン装置に対して送信することによって前記リモコン装置の記憶部に記憶させることを特徴とする請求項１〜４のいずれか一つに記載の遊技媒体貸出システム。 
【請求項６】
前記登録手段は、
前記認証情報の登録に先立って前記リモコン装置から前記記憶部に記憶した認証情報を取得し、当該認証情報を前記認証情報記憶手段に記憶された認証情報と照合し、正当なものであると判定した場合に、あらたな前記認証情報を前記リモコン装置に対して送信することによって前記リモコン装置の記憶部に記憶させることを特徴とする請求項１〜５のいずれか一つに記載の遊技媒体貸出システム。 
【請求項７】
前記貸出処理機は、有価価値を有する記録媒体を受け付けて前記遊技媒体の貸出処理を行う機能を備え、
前記記録媒体を受け付けて精算する精算機が、前記登録手段を備えたことを特徴とする請求項１〜６のいずれか一つに記載の遊技媒体貸出システム。 
【請求項８】
前記貸出処理機および前記精算機の管理を行う管理装置が、前記生成手段を備えたことを特徴とする請求項７に記載の遊技媒体貸出システム。 
【請求項９】
前記管理装置は、
前記生成手段が生成した前記認証情報の一覧を前記精算機に対して配信する一覧配信手段
をさらに備えたことを特徴とする請求項８に記載の遊技媒体貸出システム。 
【請求項１０】
前記管理装置は、
前記生成手段が生成した前記認証情報を前記貸出処理機に対して配信する認証情報配信手段
をさらに備えたことを特徴とする請求項８または９に記載の遊技媒体貸出システム。 
【請求項１１】
遊技機に並設されるとともに紙幣の受け入れによって当該遊技機に対する遊技媒体の貸出処理を行う貸出処理機と、前記貸出処理機を遠隔操作するリモコン装置とを用いた遊技媒体貸出方法であって、
前記リモコン装置を認証するための認証情報を、使用者を特定する情報と前記リモコン装置を特定する情報とを対応付けた形で生成する生成工程と、
前記生成工程により生成された認証情報を認証情報記憶部に格納する格納工程と、
前記生成工程が生成した前記認証情報を前記リモコン装置に対して送信することによって前記リモコン装置の記憶部に記憶させる登録工程と、
前記リモコン装置から受け取った前記認証情報を前記認証情報記憶部に格納された認証情報と照合し、正当なものであると判定した場合に、当該リモコン装置からの遠隔操作を許可する許可工程と
を含んだことを特徴とする遊技媒体貸出方法。 
【請求項１２】
前記生成工程は、
所定の時間ごとに前記認証情報を再生成することを特徴とする請求項１１に記載の遊技媒体貸出方法。 
【請求項１３】
前記生成工程は、
前記リモコン装置の識別番号ごとに、前記認証情報を生成することを特徴とする請求項１１または１２に記載の遊技媒体貸出方法。
【発明の詳細な説明】
【技術分野】
【０００１】
この発明は、遊技機に並設されるとともに紙幣の受け入れによって遊技機に対する遊技媒体の貸出処理を行う貸出処理機と、貸出処理機を遠隔操作するリモコン装置とを備えた遊技媒体貸出システムおよび遊技媒体貸出方法に関し、特に、リモコン操作を行った人を特定することができるとともに、セキュリティ性の低下をもたらすことなくリモコン操作の煩雑さを改善することができる遊技媒体貸出システムおよび遊技媒体貸出方法に関する。
【背景技術】
【０００２】
従来、パチンコ店などの遊技店に設置されるパチンコ機やパチスロ機といった遊技機と並設され、遊技客によって紙幣が挿入されるとパチンコ玉やメダルを貸し出す貸出処理機（以下、「台間機」と記載する）が知られている。この台間機に蓄積された紙幣の回収作業を効率化するために、台間機を遠隔操作するリモコン装置（以下、単に「リモコン」と記載する）が用いられることが多い。
【０００３】
たとえば、特許文献１や特許文献２には、リモコンを介して暗証番号を入力し、入力された暗証番号を台間機に送信することによって、台間機のロックを解錠する遊技媒体貸出システムが開示されている。
【０００４】
これらの従来技術で用いられるリモコンは、いわゆる「家電協フォーマット」に従ったデータを送信するものであり、リモコンの数字ボタンやその他の機能ボタンを押下すると、遠隔操作の対象となる装置に対して所定フォーマットのデータが送信される。
【０００５】
【特許文献１】特開２００５−４６１７８号公報
【特許文献２】特開２００５−１１８３８５号公報
【発明の開示】
【発明が解決しようとする課題】
【０００６】
しかしながら、上記した従来技術では、遊技店の各従業員にリモコンを携帯させて紙幣回収作業を行わせる場合において、どのリモコンによって貸出処理機が操作されたのかを区別できず、紙幣回収作業を行った従業員を特定することができないという問題があった。
【０００７】
このため、各貸出処理機から紙幣を回収するたびに、上記した暗証番号に加えて所定のコード（たとえば、リモコン番号や従業員番号）をリモコンに入力させ、入力させたコードを貸出処理機に送信することによって紙幣回収作業を行った従業員を特定することが考えられる。しかし、このような手法では、コードの入力ミスや、なりすましによる不正を防止することができない。
【０００８】
これらのことから、リモコン操作を行った人を特定することができるとともに、セキュリティ性の低下をもたらすことなくリモコン操作の煩雑さを改善することができる遊技媒体貸出システムをいかにして実現するかが大きな課題となっている。
【０００９】
この発明は、上述した従来技術による問題点を解消するためになされたものであって、リモコン操作を行った人を特定することができるとともに、セキュリティ性の低下をもたらすことなくリモコン操作の煩雑さを改善することができる遊技媒体貸出システムおよび遊技媒体貸出方法を提供することを目的とする。
【課題を解決するための手段】
【００１０】
上述した課題を解決し、目的を達成するため、請求項１に係る発明は、遊技機に並設されるとともに紙幣の受け入れによって当該遊技機に対する遊技媒体の貸出処理を行う貸出処理機と、前記貸出処理機を遠隔操作するリモコン装置とを備えた遊技媒体貸出システムであって、前記リモコン装置を認証するための認証情報を、使用者を特定する情報と前記リモコン装置を特定する情報とを対応付けた形で生成する生成手段と、前記生成手段により生成された認証情報を記憶する認証情報記憶手段と、前記生成手段が生成した前記認証情報を前記リモコン装置に対して送信することによって前記リモコン装置の記憶部に記憶させる登録手段と、前記リモコン装置から受け取った前記認証情報を前記認証情報記憶手段に記憶された認証情報と照合し、正当なものであると判定した場合に、当該リモコン装置からの遠隔操作を許可する許可手段とを備えたことを特徴とする。
【００１１】
また、請求項２に係る発明は、上記の発明において、前記生成手段は、所定の時間ごとに前記認証情報を再生成することを特徴とする。
【００１２】
また、請求項３に係る発明は、上記の発明において、前記生成手段は、前記リモコン装置の識別番号ごとに、前記認証情報を生成することを特徴とする。
【００１３】
また、請求項４に係る発明は、上記の発明において、前記生成手段は、前記リモコン装置を認証するための認証情報を、使用者を特定する情報と、該記使用者の権限と、前記リモコン装置を特定する情報と対応付けた形で生成することを特徴とする。
【００１４】
また、請求項５に係る発明は、上記の発明において、前記登録手段は、前記認証情報の登録に先立って所定のデータの入力を求め、該データを正当なものであると判定した場合に、前記認証情報を前記リモコン装置に対して送信することによって前記リモコン装置の記憶部に記憶させることを特徴とする。
【００１５】
また、請求項６に係る発明は、上記の発明において、前記登録手段は、前記認証情報の登録に先立って前記リモコン装置から前記記憶部に記憶した認証情報を取得し、当該認証情報を前記認証情報記憶手段に記憶された認証情報と照合し、正当なものであると判定した場合に、あらたな前記認証情報を前記リモコン装置に対して登録することを特徴とする。
【００１６】
また、請求項７に係る発明は、上記の発明において、前記貸出処理機は、有価価値を有する記録媒体を受け付けて前記遊技媒体の貸出処理を行う機能を備え、前記記録媒体を受け付けて精算する精算機が、前記登録手段を備えたことを特徴とする。
【００１７】
また、請求項８に係る発明は、上記の発明において、前記貸出処理機および前記精算機の管理を行う管理装置が、前記生成手段を備えたことを特徴とする。
【００１８】
また、請求項９に係る発明は、上記の発明において、前記管理装置は、前記生成手段が生成した前記認証情報の一覧を前記精算機に対して配信する一覧配信手段をさらに備えたことを特徴とする。
【００１９】
また、請求項１０に係る発明は、上記の発明において、前記管理装置は、前記生成手段が生成した前記認証情報を前記貸出処理機に対して配信する認証情報配信手段をさらに備えたことを特徴とする。
【００２０】
また、請求項１１に係る発明は、遊技機に並設されるとともに紙幣の受け入れによって当該遊技機に対する遊技媒体の貸出処理を行う貸出処理機と、前記貸出処理機を遠隔操作するリモコン装置とを用いた遊技媒体貸出方法であって、前記リモコン装置を認証するための認証情報を、使用者を特定する情報と前記リモコン装置を特定する情報とを対応付けた形で生成する生成工程と、前記生成工程により生成された認証情報を認証情報記憶部に格納する格納工程と、前記生成工程が生成した前記認証情報を前記リモコン装置に対して送信することによって前記リモコン装置の記憶部に記憶させる登録工程と、前記リモコン装置から受け取った前記認証情報を前記認証情報記憶部に格納された認証情報と照合し、正当なものであると判定した場合に、当該リモコン装置からの遠隔操作を許可する許可工程とを含んだことを特徴とする。
【００２１】
また、請求項１２に係る発明は、上記の発明において、前記生成工程は、所定の時間ごとに前記認証情報を再生成することを特徴とする。
【００２２】
また、請求項１３に係る発明は、上記の発明において、前記生成工程は、前記リモコン装置の識別番号ごとに、前記認証情報を生成することを特徴とする。
【発明の効果】
【００２３】
請求項１の発明によれば、リモコン装置を認証するための認証情報を、使用者を特定する情報と前記リモコン装置を特定する情報とを対応付けた形で生成する生成手段と、生成手段により生成された認証情報を記憶する認証情報記憶手段と、生成手段が生成した認証情報をリモコン装置に対して送信することによってリモコン装置の記憶部に記憶させる登録手段と、リモコン装置から受け取った認証情報を認証情報記憶手段に記憶された認証情報と照合し、正当なものであると判定した場合に、リモコン装置からの遠隔操作を許可する許可手段とを備えるよう構成したので、リモコンに登録する認証情報を一括して管理するとともに、リモコンの遠隔操作の対象となる装置は、リモコンから送信された認証情報に基づき遠隔操作の許否を行うことによって、リモコン操作を行った人を特定することができるとともに、セキュリティ性の低下をもたらすことなくリモコン操作の煩雑さを改善することができるという効果を奏する。 
【００２４】
また、請求項２の発明によれば、生成手段は、所定の時間ごとに認証情報を再生成するよう構成したので、認証情報を更新していくことによって、リモコンから認証情報を盗用された場合であっても、盗用された認証情報に基づく遠隔操作を無効とすることによって、セキュリティ性を向上させることができるという効果を奏する。
【００２５】
また、請求項３の発明によれば、生成手段は、リモコン装置の識別番号ごとに、認証情報を生成するよう構成したので、リモコン装置ごとに認証情報を用意することによって、セキュリティ性を向上させることができるという効果を奏する。
【００２６】
また、請求項４の発明によれば、生成手段は、リモコン装置を認証するための認証情報を、使用者を特定する情報と、該記使用者の権限と、リモコン装置を特定する情報と対応付けた形で生成するよう構成したので、認証情報のみで従業員の権限を簡易に管理することができるという効果を奏する。
【００２７】
また、請求項５の発明によれば、登録手段は、認証情報の登録に先立って所定のデータの入力を求め、入力されたデータを正当なものであると判定した場合に、認証情報をリモコン装置に対して送信することによってリモコン装置の記憶部に記憶させるよう構成したので、悪意の利用者によるリモコンデータの書き換えを効果的に防止することができるという効果を奏する。 
【００２８】
また、請求項６の発明によれば、登録手段は、認証情報の登録に先立って前記リモコン装置から記憶部に記憶した認証情報を取得し、取得した認証情報を認証情報記憶手段に記憶された認証情報と照合し、正当なものであると判定した場合に、あらたな認証情報をリモコン装置に対して送信することによってリモコン装置の記憶部に記憶させるよう構成したので、予め正当な認証情報が登録されたリモコン装置をリモコンデータ更新の対象とすることによって、不正なリモコンにデータが登録されてしまうことを効果的に防止することができるという効果を奏する。
【００２９】
また、請求項７の発明によれば、貸出処理機は、有価価値を有する記録媒体を受け付けて遊技媒体の貸出処理を行う機能を備え、記録媒体を受け付けて精算する精算機が、登録手段を備えるよう構成したので、リモコンの遠隔操作の対象となる台間機などの装置の近くでリモコンデータの書き換えを可能とすることによって、従業員の作業負荷を軽減することができるとともに、遊技店の事務所内に設置される管理装置でリモコンデータの書き換えをおこなう必要がないので、管理装置のセキュリティ性が低下することを防止することができるという効果を奏する。また、リモコンデータの書き換え専用装置をあらたに導入する必要がないのでシステムコストを抑制することができるという効果を奏する。
【００３０】
また、請求項８の発明によれば、貸出処理機および精算機の管理を行う管理装置が、生成手段を備えるよう構成したので、リモコンに登録するデータを管理装置で一括管理することによって、登録データの管理を効率的に行うことができるという効果を奏する。
【００３１】
また、請求項９の発明によれば、管理装置は、生成手段が生成した認証情報の一覧を精算機に対して配信する一覧配信手段をさらに備えるよう構成したので、精算機において、リモコンデータの選択を容易に行うことができるという効果を奏する。
【００３２】
また、請求項１０の発明によれば、管理装置は、生成手段が生成した認証情報を貸出処理機に対して配信する認証情報配信手段をさらに備えるよう構成したので、認証情報自体は、管理装置で管理することによってセキュリティ性を高めることができるという効果を奏する。
【００３３】
また、請求項１１の発明によれば、リモコン装置を認証するための認証情報を、使用者を特定する情報とリモコン装置を特定する情報とを対応付けた形で生成する生成工程と、生成工程により生成された認証情報を認証情報記憶部に格納する格納工程と、生成工程が生成した認証情報をリモコン装置に対して送信することによってリモコン装置の記憶部に記憶させる登録工程と、リモコン装置から受け取った認証情報を認証情報記憶部に格納された認証情報と照合し、正当なものであると判定した場合に、リモコン装置からの遠隔操作を許可する許可工程とを含むよう構成したので、リモコンに登録する認証情報を一括して管理するとともに、リモコンの遠隔操作の対象となる装置は、リモコンから送信された認証情報に基づき遠隔操作の許否を行うことによって、リモコン操作を行った人を特定することができるとともに、セキュリティ性の低下をもたらすことなくリモコン操作の煩雑さを改善することができるという効果を奏する。
【００３４】
また、請求項１２の発明によれば、生成工程は、所定の時間ごとに認証情報を再生成するよう構成したので、認証情報を更新していくことによって、リモコンから認証情報を盗用された場合であっても、盗用された認証情報に基づく遠隔操作を無効とすることによって、セキュリティ性を向上させることができるという効果を奏する。
【００３５】
また、請求項１３の発明によれば、生成工程は、リモコン装置の識別番号ごとに、認証情報を生成するよう構成したので、リモコン装置ごとに認証情報を用意することによって、セキュリティ性を向上させることができるという効果を奏する。
【発明を実施するための最良の形態】
【００３６】
以下に添付図面を参照して、本発明に係る遊技媒体貸出システムおよび遊技媒体貸出方法の実施例を詳細に説明する。
【００３７】
まず、本実施例に係る遊技媒体貸出システムの特徴について説明する。図１は、本実施例に係る遊技媒体貸出システムの特徴を示す図である。同図に示すように、本実施例に係る遊技媒体貸出システムでは、管理装置１０と、精算機２０と、リモコン３０を用いてリモコンデータの更新処理を行い、更新されたリモコンデータを用いて台間機の解錠などの遠隔操作を行うようにした点に特徴がある。
【００３８】
ここで、管理装置１０とは遊技店に設置されたすべての台間機を管理する装置であり、遊技店の事務所など一般の遊技客が入室不可能な部屋に設置されることが通常である。また、精算機２０とは遊技店のホールに複数台設置され、プリペイドカードなどの残度数に応じた現金を払い出す処理を行う装置である。そして、リモコン３０とは同図に示す台間機の解錠などの遠隔操作を行う装置であり、遊技店の従業員はこのリモコン３０を携帯することが一般的である。
【００３９】
従来の遊技媒体貸出システムにおいても、台間機の遠隔操作にリモコンを用いることは一般的であったが、リモコンに対してリモコン固有のデータを登録することは行われていなかった。このため、従業員がリモコンを用いて台間機を遠隔操作する場合には、従業員コードなどのように操作者を特定することができるコードを毎回入力することとし、この従業員コードに基づいて紙幣回収作業などの作業を行った従業員を特定することが行われていた。
【００４０】
しかし、作業ごとに上記したようなコードを入力する作業は煩雑であり、従業員の作業負荷を高めてしまっていた。また、コードの入力ミスや、他人のコードを用いるなどのなりすましを防止することができず、作業管理の信頼性を損ねていた。
【００４１】
そこで、本実施例に係る遊技媒体貸出システムでは、管理装置１０に各リモコン用の設定情報を一括して登録し（図１の（１）参照）、登録された設定情報の一覧を精算機２０に配信することとした。このようにすることで、従業員は、自己が携帯するリモコン３０のデータ更新をこの精算機２０で行うことができる。また、事務所に設置された管理装置１０ではなく、ホールに設置された精算機２０でリモコン３０のデータ更新ができるので、従業員の利便性を高めることができるとともに、管理装置１０のセキュリティ性が低下することを防止することができる。
【００４２】
具体的には、管理装置１０においてリモコン３０のデータ更新をおこなう場合には各従業員が管理装置１０を操作することが必要となるが、管理装置１０の操作を一般の従業員に許可すると誤操作や悪意の操作によって管理装置１０のセキュリティ性が低下してしまう。したがって、本実施例のように精算機２０においてリモコン３０のデータ更新をおこなうこととすれば、かかる問題点を回避することが可能となるとともに、リモコン３０による操作対象装置（たとえば、台間機など）が設置されたホールでデータ更新をおこなうことができるので従業員の利便性を向上させることが可能となる。
【００４３】
具体的には、従業員がリモコン３０のデータ更新を行う場合に精算機２０の操作画面を操作すると、精算機２０には管理装置１０から配信されたリモコン設定情報の一覧が表示される（図１の（２）参照）。つづいて、従業員がこの一覧の中から自己の氏名が示されたボタンを選択すると、選択されたボタンに対応する設定情報（図１の「ＩＤ」）がリモコン３０に設定される。そして、従業員は、データ更新が行われたリモコン３０を用いて紙幣回収などの作業を実行する。この場合、リモコン３０に設定された設定情報（図１の「ＩＤ」）が台間機に対して自動的に送信されるので、従業員は従業員コードや暗証番号といった入力操作を行う必要がない。
【００４４】
また、各台間機には、管理装置１０から上記した設定情報が配信されている。そして、各台間機は、リモコン３０から受信した設定情報が、管理装置１０から配信された設定情報に含まれる場合に、リモコン３０による遠隔操作を許可する。なお、データ登録可能なリモコン３０を構成するとリモコン３０からデータを盗用されるおそれがあるが、本実施例に係る遊技媒体貸出システムでは、管理装置１０が所定時間ごとに設定情報を再生成することで、このような情報漏洩を防止することとしている。
【００４５】
次に、上記した遊技媒体貸出システムのネットワーク構成について説明する。図２は、本実施例に係る遊技媒体貸出システムのネットワーク構成例を示す図である。同図に示すように、本実施例に係る遊技媒体貸出システムは、管理装置１０と、精算機２０と、リモコン３０とを有しており、管理装置１０は遊技店の事務所内に、精算機２０は遊技ホールにそれぞれ設置される。
【００４６】
そして、遊技ホールには遊技島ごとに設けられた島コントローラ配下に、複数の台間機と遊技機とが設けられている。また、これらの各装置は、ＬＡＮ（Local  Area  Network）などの回線を介して管理装置１０と通信可能に構成されている。ここで、遊技島とは、遊技ホールの通路で囲まれたエリアのことを指し、島コントローラとは、遊技島に設置された台間機や遊技機といった装置を束ねる装置のことを指す。そして、各台間機や遊技機はこの島コントローラを介して管理装置１０とデータの送受信を行う。
【００４７】
遊技店の従業員はリモコン３０を携帯しており、遊技ホールに設置された精算機２０で自己が携帯するリモコン３０のデータを更新し、データ更新済のリモコン３０を用いて台間機の遠隔操作を行うことになる。なお、同図には、一台の精算機２０を示しているが、この精算機２０の設置台数は任意の数とすることができる。
【００４８】
次に、上記した精算機２０の外観およびリモコン３０の外観について図３および図４を用いて説明する。図３は精算機２０の外観を示す図であり、図４はリモコン３０の外観を示す図である。
【００４９】
図３に示すように、精算機２０は、データ表示およびデータ入力受付を行うＬＣＤ（Liquid  Crystal  Display）／タッチパネル２０ａと、リモコン３０との間で双方向の通信を行う赤外線送受光部２０ｂとを備えている。なお、同図では、リモコン３０との間の通信に赤外線を用いる場合について示しているが、これに限らず、電波を用いた通信を行うこととしてもよい。
【００５０】
この精算機２０は、プリペイドカードなどの残度数に応じた現金を払い出す処理を行う装置であり、上記した処理部（２０ａおよび２０ｂ）とともに、プリペイドカードなどのカードを受け付けるためのカード受付部、カードの残度数に応じた貨幣を払い出すための紙幣払出部および硬貨払出部を備えている。
【００５１】
また、図４に示すように、リモコン３０は、数字ボタンや各種機能ボタンを備えている。そして、同図に示す設定ボタン３０ａが押下されると、精算機２０からリモコン登録用データを取得する処理が行われ、取得したデータが内部の記憶部に記憶される。
【００５２】
次に、本実施例に係る遊技媒体貸出システムの構成装置である管理装置１０の構成について図５を用いて説明する。図５は、管理装置１０の内部構成を示すブロック図である。同図に示すように、管理装置１０は、入力部１１と、出力部１２と、Ｉ／Ｆ部１３と、制御部１４と、記憶部１５とを備えている。そして、制御部１４は、設定情報登録部１４ａと、設定情報送信部１４ｂとをさらに備えており、記憶部１５は、設定情報１５ａを記憶している。
【００５３】
入力部１１は、キーボードやマウス、ＣＤ−ＲＯＭなどの可搬記憶媒体の読み取り装置といった入力デバイスであり、リモコン登録用データの入力に用いられる。また、出力部１２は、ディスプレイ装置や、プリンタ装置といった出力デバイスであり、上記したリモコン登録用データを入力するための画面や、入力されたデータの一覧画面などを表示したり、管理装置１０が管理するデータをプリントアウトしたりといった処理を行う。また、Ｉ／Ｆ部１３は、ＬＡＮボードなどの通信デバイスから構成され、精算機２０や台間機とのデータ送受信を行う。
【００５４】
制御部１４は、入力部１１を介してリモコン登録用データ（設定情報）の登録を受け付けて記憶部１５に記憶させ、精算機２０に対して設定情報の一覧を送信するとともに、精算機２０において一覧の中から特定の項目が選択されたならば、その旨を設定情報１５ａに登録するとともに、精算機２０に対して選択項目に該当する認証情報を送信する処理を行う処理部である。
【００５５】
設定情報登録部１４ａは、出力部１２に入力画面を表示し、入力部１１を介して受け付けたリモコン登録用データを設定情報１５ａとして記憶部１５に記憶させる処理を行う処理部である。また、この設定情報登録部１４ａは、精算機２０から、リモコンに登録したいデータに関する情報をＩ／Ｆ部１３を介して受け取ったならば、該当する設定情報１５ａに登録済みである旨のマークをつける処理を行う処理部でもある。
【００５６】
設定情報送信部１４ｂは、精算機２０に対してリモコン登録用データ（設定情報）の一覧を送信するとともに、かかる一覧から選択されたデータに関する情報を精算機２０から受けとったならば、精算機２０に対して該当するデータを送信する処理を行う処理部である。
【００５７】
記憶部１５は、磁気ディスク装置や不揮発性メモリなどから構成された記憶部であり、リモコン３０に登録するための情報である設定情報１５ａを記憶する。ここで、この設定情報１５ａの一例について図６を用いて説明する。
【００５８】
図６は、設定情報１５ａの一例を示す図である。同図に示すように、この設定情報１５ａは、リモコン３０を識別するための番号である「リモコン番号」と、リモコン３０を使用する従業員の氏名をあらわす「使用者」と、リモコン３０を用いて行うことができる作業の権限をあらわす「権限」と、リモコン３０が正当であることを認証するために用いられる「ＩＤコード」とを含んだ情報である。そして、このＩＤコードは、設定情報登録部１４ａによって所定時間おきに更新され、異なるＩＤコードがあらたに割り振られる。
【００５９】
図６に示した場合について説明すると、リモコン番号が「１」のリモコン３０は「Ａさん」が使用し、このＡさんには紙幣の回収作業が許可されており、リモコン３０を認証するためのＩＤコードは「１２３４」であることが示されている。また、リモコン番号が「３」のリモコン３０は「Ｃさん」が使用し、このＣさんには紙幣の回収作業が許可されておらず、リモコン３０を認証するためのＩＤコードは「９０１２」であることが示されている。
【００６０】
次に、本実施例に係る遊技媒体貸出システムの構成装置である精算機２０の構成について図７を用いて説明する。図７は、精算機２０の内部構成を示すブロック図である（ただし、同図は、精算機２０が有する機能のうちリモコン３０へのデータ登録処理に関連する要素のみを抜粋したものである）。同図に示すように、精算機２０は、表示操作部２１と、Ｉ／Ｆ部２２と、リモコンＩ／Ｆ部２３と、制御部２４と、記憶部２５とを備えている。また、制御部２４は、設定情報要求部２４ａと、設定情報受信部２４ｂと、設定部２４ｃとをさらに備えており、記憶部２５は選択情報２５ａを記憶している。
【００６１】
表示操作部２１は、タッチパネル付きの液晶ディスプレイなどから構成され、操作画面を表示するとともに、入力操作を受け付ける処理を行う処理部である。なお、リモコン登録に関する処理を開始する際には、所定の暗証番号を入力させることとし、入力された暗証番号の認証に成功したことを条件としてリモコン登録用の画面を表示するようにしてもよい。また、この表示操作部２１は、図３に示した精算機２０の外観図におけるＬＣＤ／タッチパネル２０ａに相当する。
【００６２】
Ｉ／Ｆ部２２は、ＬＡＮボードなどの通信デバイスから構成され、管理装置１０との間でデータ送受信を行う処理部である。また、リモコンＩ／Ｆ部２３は、赤外線送受光装置などのデバイスから構成され、リモコン３０との間でデータ送受信を行う処理部である。なお、このリモコンＩ／Ｆ部２３は、図３に示した精算機２０の外観図における赤外線送受光部２０ｂに相当する。なお、本実施例においては、リモコン３０との間の通信に赤外線を用いる場合について示しているが、これに限らず、電波を用いた通信を行うこととしてもよい。
【００６３】
制御部２４は、表示操作部２１を介して選択されたリモコン登録用データ（設定情報）をリモコン３０に対して設定する処理を行う処理部である。設定情報要求部２４ａは、表示操作部２１に表示されたリモコン登録用データ（設定情報）の一覧から選択されたデータについてのＩＤコード（図６参照）を、管理装置１０に対して要求する処理を行う処理部である。また、設定情報受信部２４ｂは、設定情報要求部２４ａが要求したＩＤコードを管理装置２２から受け取り、受け取ったＩＤコードを設定部２４ｃに渡す処理を行う処理部である。
【００６４】
設定部２４ｃは、設定情報受信部２４ｂから渡されたデータを、リモコンＩ／Ｆ部２３を介してリモコン３０に対して設定する処理を行う処理部である。たとえば、この設定部２４ｃは、リモコン３０の設定ボタン３０ａ（図４参照）が押下されると、管理装置１０から取得したＩＤコードをリモコン３０に対して設定する。
【００６５】
記憶部２５は、磁気ディスク装置や不揮発性メモリなどから構成された記憶部であり、管理装置１０から取得したリモコン登録用データ（設定情報）の一覧を選択情報２５ａとして記憶する。そして、この選択情報２５ａは表示操作部２１に表示される。
【００６６】
次に、上記した表示操作部２１に表示されるリモコン設定画面の画面例について図８および図９を用いて説明する。図８は、精算機２０の画面例１を示す図であり、図９は、精算機の画面例２を示す図である。リモコン３０を携帯した従業員が、精算機２０の表示操作部２１を操作することによってリモコン登録機能を選択すると、表示操作部２１には図８の８ａに示す画面が表示される。この画面は、図６に示した「リモコン番号」および「使用者」を表示した選択ボタンを含んでいる。
【００６７】
たとえば、Ａさんがリモコン登録を行う場合には、図８の８ａの画面に表示された選択ボタンの中から、「０１  Ａさん」と表示された選択ボタンを選択する。そして、「０１  Ａさん」と表示された選択ボタンが選択されると、表示操作部２１には図８の８ｂに示した画面が表示される。この画面では、「０１  Ａさん」という選択ボタンが選択された旨と、選択されたリモコン番号に対応するＩＤコード（図６参照）を管理装置１０に対して問い合わせ中である旨とを表示する。
【００６８】
なお、本実施例では、図８の８ａの画面に表示された選択ボタンを選択した場合に、ただちに図８の８ｂに画面遷移する場合について説明するが、選択ボタンが選択された際に、各従業員に割り当てられた暗証番号の入力を求める画面を表示し、入力された暗証番号が正当であることを条件として図８の８ｂに示した画面を表示することとしてもよい。また、選択ボタンが選択された際に、従業員が携帯するリモコン３０からＩＤコードを読み出し、読み出したＩＤコードが正当であることを条件として図８の８ｂに示した画面を表示することとしてもよい。
【００６９】
つづいて、精算機２０が上記したＩＤコードの取得処理を完了すると、表示操作部２１には、図９の９ａに示す画面が表示される。従業員が、この画面の指示にしたがってリモコン３０の設定ボタン３０ａを押下すると、かかるＩＤコードがリモコン３０に対して送信され、リモコンへのデータ登録を完了した旨が図９の９ｂに示す画面に表示される。
【００７０】
なお、図８および図９においては、精算機２０の表示操作部２１に表示された選択ボタンが選択されたタイミングで、該当するＩＤコードを管理装置１０から取得する場合について説明した。しかしながら、これに限らず、ＩＤコードを含んだ情報を管理装置１０から精算機２０に予め送信しておくこととし、選択ボタンが選択された際に記憶部２５からＩＤコードを読み出してリモコン３０に登録するよう構成してもよい。
【００７１】
次に、本実施例に係る遊技媒体貸出システムの構成装置であるリモコン３０の構成について図１０を用いて説明する。図１０は、リモコン３０の内部構成を示すブロック図である。同図に示すように、リモコン３０は、Ｉ／Ｆ部３１と、操作部３２と、制御部３３と、記憶部３４とを備えている。また、制御部３３は、設定部３３ａと、送信部３３ｂとをさらに備えており、記憶部３４は、固有情報３４ａを記憶している。
【００７２】
Ｉ／Ｆ部３１は、赤外線送受光装置などのデバイスから構成され、精算機２０あるいは台間機との間でデータ送受信を行う処理部である。なお、本実施例においては、精算機２０あるいは台間機との間の通信に赤外線を用いる場合について示しているが、これに限らず、電波を用いた通信を行うこととしてもよい。また、操作部３２は、数字ボタンや各機能ボタン（図４参照）を備えたデバイスである。
【００７３】
制御部３３は、上記したＩＤコードを含んだ情報を精算機２０から受け取って記憶部３４に記憶させるとともに、台間機を遠隔操作する際には、記憶部３４に記憶させた情報を台間機に対して送信する処理を行う処理部である。
【００７４】
設定部３３ａは、上記したＩＤコードを含んだ情報を、Ｉ／Ｆ部３１を介して精算機２０から受け取って、記憶部３４に固有情報３４ａとして記憶させる処理を行う処理部である。また、送信部３３ｂは、操作部３２において所定の操作が行われた場合に、記憶部３４から固有情報３４ａを読み出し、読み出した固有情報３４ａを台間機に対して送信する処理を行う処理部である。なお、上記したように、ＩＤコードの提示を条件としてリモコン設定を行うよう精算機２０を構成した場合には、この送信部３３ｂが精算機２０に対しても固有情報３４ａを送信するよう構成してもよい。
【００７５】
次に、本実施例に係る遊技媒体貸出システムの初期処理における処理手順について図１１を用いて説明する。図１１は、初期処理における処理手順を示すフローチャートである。同図に示すように、遊技店の管理者などが管理装置１０の設定情報登録部１４ａを介して設定情報１５ａを登録すると（ステップＳ１０１）、設定情報送信部１４ｂは、登録された設定情報１５ａを記憶部１５から読み出して精算機２０に対して送信する（ステップＳ１０２）。そして、管理装置１０から設定情報１５ａを受信した精算機１０では、この設定情報１５ａを選択情報２５ａとして記憶部２５に記憶させ（ステップＳ１０３）処理を終了する。
【００７６】
次に、本実施例に係る遊技媒体貸出システムのリモコン設定処理における処理手順について図１２を用いて説明する。図１２は、リモコン設定処理における処理手順を示すフローチャートである。同図に示すように、精算機２０の表示操作部２１が、リモコン設定機能が選択されてリモコン設定が開始されたことを検知すると（ステップＳ２０１，Ｙｅｓ）、図８の８ａに示した画面が表示操作部２１に表示される（ステップＳ２０２）。なお、リモコン設定開始を検知しなかった場合には（ステップＳ２０１，Ｎｏ）、ステップＳ２０１の処理を繰り返すことになる。
【００７７】
つづいて、図８の８ａに表示された選択ボタンの選択が完了したことを検知すると(ステップＳ２０３，Ｙｅｓ)、精算機２０の設定情報要求部２４ａは、選択されたボタンに対応するＩＤコードを管理装置１０に対して問い合わせる処理を行う（ステップＳ２０４）。なお、選択ボタンの選択が完了していない場合には（ステップＳ２０３，Ｎｏ）、ステップＳ２０３の処理を繰り返すことになる。
【００７８】
精算機２０からのＩＤコード問い合わせを受けた管理装置１０は該当するＩＤコードを、設定情報１５ａを検索することによって記憶部１５から読み出し、設定情報送信部１４ｂが、読み出したＩＤコードを精算機２０に対して送信する（ステップＳ２０５）。なお、精算機２０は、管理装置１０から送信されたＩＤコードを受信すると、設定情報受信部２４ｂが、受信したＩＤコードを設定部２４ｃに渡す処理を行う。
【００７９】
そして、従業員が精算機２０に表示された画面の指示（図９の９ａ）に従って、リモコン３０を精算機２０の赤外線送受光部２０ｂに向けた状態でリモコン３０の設定キー（設定ボタン３０ａ）を押下したならば（ステップＳ２０６，Ｙｅｓ）、リモコン３０はＩＤコードの要求を精算機２０に対して行い（ステップＳ２０７）、精算機２０は、管理装置から送信されたＩＤコードを、この要求に応答してリモコン３０に送信する（ステップＳ２０８）。そして、リモコン３０の設定部３３ａは、受信したＩＤコードを固有情報３４ａとして記憶部３４に記憶させ（ステップＳ２０９）処理を終了する。
【００８０】
上述してきたように、本実施例では、精算機の表示操作部が、管理装置から取得したリモコン登録データの一覧を表示し、精算機の設定情報要求部が、一覧から選択されたデータに対応するＩＤコードを管理装置に対して要求し、精算機の設定情報受信部が管理装置からＩＤコードを受信したならば、リモコンにおいて所定の操作が行われたことを条件としてＩＤコードをリモコンに対して送信するよう構成した。また、リモコンの設定部が、精算機から受信したデータを固有情報として記憶部に記憶させ、台間機の操作を行う際には、リモコンの送信部が固有情報を記憶部から読み出して台間機に対して送信するよう構成した。したがって、リモコン操作を行った人を特定することができるとともに、セキュリティ性の低下をもたらすことなくリモコン操作の煩雑さを改善することができる。
【００８１】
なお、上述した実施例においては、リモコンへのデータ登録機能を精算機に持たせた場合について説明したが、かかるデータ登録機能を備えたデータ登録用専用装置をあらたに構成することとしてもよい。また、遊技店における遊技媒体貸出システムを構成する他の装置（たとえば、カード発行機など）にデータ登録機能を持たせることとしてもよい。
【産業上の利用可能性】
【００８２】
以上のように、本発明に係る遊技媒体貸出システムおよび遊技媒体貸出方法は、リモコン操作の煩雑さを改善したい場合に有用であり、特に、遊技店における紙幣回収作業の作業者を特定したい場合に適している。
【図面の簡単な説明】
【００８３】
【図１】本実施例に係る遊技媒体貸出システムの特徴を示す図である。
【図２】遊技媒体貸出システムのネットワーク構成例を示す図である。
【図３】精算機の外観を示す図である。
【図４】リモコンの外観を示す図である。
【図５】管理装置の内部構成を示すブロック図である。
【図６】設定情報の一例を示す図である。
【図７】精算機の内部構成を示すブロック図である。
【図８】精算機の画面例１を示す図である。
【図９】精算機の画面例２を示す図である。
【図１０】リモコンの内部構成を示すブロック図である。
【図１１】初期処理における処理手順を示すフローチャートである。
【図１２】リモコン設定処理における処理手順を示すフローチャートである。
【符号の説明】
【００８４】
１０  管理装置
１１  入力部
１２  出力部
１３  Ｉ／Ｆ部
１４  制御部
１４ａ  設定情報登録部
１４ｂ  設定情報送信部
１５  記憶部
１５ａ  設定情報
２０  精算機
２０ａ  ＬＣＤ／タッチパネル
２０ｂ  赤外線送受光部
２１  表示操作部
２２  Ｉ／Ｆ部
２３  リモコンＩ／Ｆ部
２４  制御部
２４ａ  設定情報要求部
２４ｂ  設定情報受信部
２４ｃ  設定部
２５  記憶部
２５ａ  選択情報
３０  リモコン
３０ａ  設定ボタン
３１  Ｉ／Ｆ部
３２  操作部
３３  制御部
３３ａ  設定部
３３ｂ  送信部
３４  記憶部
３４ａ  固有情報
【図１】
0004804846.tif 000002
【図２】
0004804846.tif 000003
【図３】
0004804846.tif 000004
【図４】
0004804846.tif 000005
【図５】
0004804846.tif 000006
【図６】
0004804846.tif 000007
【図７】
0004804846.tif 000008
【図８】
0004804846.tif 000009
【図９】
0004804846.tif 000010
【図１０】
0004804846.tif 000011
【図１１】
0004804846.tif 000012
【図１２】
0004804846.tif 000013